(57)【要約】【課題】対応可能な重さの範囲が広く、設置時に装置にガタツキを生じさせない脚部材を提供する。【解決手段】脚部材２０は、装置１の底面１１に取り付けられる脚部材であって、前記底面に取付けられる取付面２５を有する基部２１と、基部の取付面の反対側に突設され、第１の高さＨ１及び第１の可撓性を有する第１の支持部２２と、基部の取付面の反対側に第１の支持部とは独立して突設され、第１の高さより低い第２の高さＨ２と第２の可撓性とを有する第２の支持部２３と、を備える。【選択図】図２
2017220487.tif 000002
【特許請求の範囲】
【請求項１】
装置の底面に設けられる脚部材であって、
前記底面に取付けられる取付面を有する基部と、
前記基部の前記取付面の反対側に突設され、第１の高さ及び第１の可撓性を有する第１の支持部と、
前記基部の前記取付面の反対側に前記第１の支持部とは独立して突設され、前記第１の高さより低い第２の高さと第２の可撓性とを有する第２の支持部と、
を備える脚部材。
【請求項２】
前記第１の支持部及び前記第２の支持部は、前記取付面に対し斜めの方向に突設される、請求項１に記載の脚部材。
【請求項３】
前記第２の支持部の第２の可撓性は、前記第１の支持部の第１の可撓性より低い、請求項１又は２に記載の脚部材。
【請求項４】
前記第１の支持部が前記設置面に接して前記装置の重さを受けて撓んだとき、撓んだ前記第１の支持部に当接するよう、前記装置の底面に設けられるストッパをさらに備える、請求項２又は３に記載の脚部材。
【請求項５】
装置であって、
装置本体と、
前記装置本体の底面に設けられ、前記装置の設置面から前記装置本体を支持する少なくとも一つの脚部材と、を備え、前記脚部材は、
前記底面に取付けられる取付面を有する基部と、
前記基部の前記取付面の反対側に突設され、第１の高さ及び第１の可撓性を有する第１の支持部と、
前記基部の前記取付面の反対側に前記第１の支持部とは独立して突設され、前記第１の高さより低い第２の高さと第２の可撓性とを有する第２の支持部と、を備える装置。
【発明の詳細な説明】
【技術分野】
【０００１】
本出願は脚部材及び脚部材を備えた装置に関する。
【背景技術】
【０００２】
ノートパソコン等の装置を机等の設置面に載置する際、装置の筐体の反り、ねじれ、変形、または、設置面の凹凸等の使用環境により、装置底面のゴム足等の脚部材が部分的に設置面から浮いた状態となるため、ガタツキが発生する場合があった。このようなガタツキの発生を防ぐためには、ゴム足等の脚部材が受けることができる重さの範囲を広げ、その浮きを防止することが有効である。特許文献１には、フロントパネルの底にスリット溝を形成し、そのスリット溝を介して撓み変形可能な脚部を形成することが提案されている。
【先行技術文献】
【特許文献】
【０００３】
【特許文献１】特開２００４−３２７７９５号公報
【発明の概要】
【発明が解決しようとする課題】
【０００４】
しかしながら、スリット溝を介して脚を撓み変形可能にする構造では、脚が受けることができる重さの範囲は、撓みやすくした箇所が撓んで曲がる量に依存している。そのため、対応可能な重さの範囲を増やすと、部品のサイズが大きくなる。また、脚は荷重を受けると装置の内側に曲がって内蔵部品と干渉することから、干渉を避けるために逃げエリアを設けることで装置厚が増加する。一方、ゴム足に柔らかい部材を使用すると、大きい荷重が加わった際、ゴム足が潰れてしまう場合があり、装置を安定して支持することができない。
【０００５】
上述の問題に鑑み、対応可能な重さの範囲が広く、設置時に装置にガタツキを生じさせない脚部材を提供することを目的とする。
【課題を解決するための手段】
【０００６】
一つの形態によれば、装置の底面に設けられる脚部材であって、底面に取付けられる取付面を有する基部と、基部の取付面の反対側に突設され、第１の高さ及び第１の可撓性を有する第１の支持部と、基部の取付面の反対側に第１の支持部とは独立して突設され、第１の高さより低い第２の高さと第２の可撓性とを有する第２の支持部と、を備える、脚部材が提供される。
【０００７】
他の形態によれば、装置であって、装置本体と、装置本体の底面に設けられ装置の設置面から装置本体を支持する少なくとも一つの脚部材と、を備え、脚部材は、底面に取付けられる取付面を有する基部と、基部の取付面の反対側に突設され、第１の高さ及び第１の可撓性を有する第１の支持部と、基部の取付面の反対側に第１の支持部とは独立して突設され、第１の高さより低い第２の高さと第２の可撓性とを有する第２の支持部と、を備える装置が提供される。
【発明の効果】
【０００８】
対応可能な重さの範囲が広く、設置時に装置にガタツキを生じさせない脚部材を提供できる。
【図面の簡単な説明】
【０００９】
【図１】開示の脚部材が取付けられた装置を示す斜視図である。
【図２】開示の脚部材を示す斜視図である。
【図３】（ａ）は開示する脚部材の平面図、（ｂ）は（ａ）のＢ−Ｂ線に沿った断面図、（ｃ）は正面図である。
【図４】（ａ）〜（ｄ）は、開示する脚部材に荷重が掛かった際の脚部材の状態変化を示す図である。
【図５】（ａ）及び（ｂ）は図１に示す装置の後方左側に取付けられた脚部材の状態変化を示す、図１のＶＬ-ＶＬ線に沿った断面図であり、（ｃ）及び（ｄ）は装置の後方右側に取付けられた脚部材の状態変化を示す、図１のＶＲ−ＶＲ線に沿った断面図である。
【図６】（ａ）〜（ｇ）は、開示する脚部材の他の例を示す図である。
【図７】開示の脚部材が取り付けられた別の装置を示す斜視図である。
【図８】ストッパが設けられた脚部材を示す斜視図である。
【図９】（ａ）は、脚部材に荷重が掛かる直前の状態を示す図、（ｂ）は脚部材に荷重が掛かり第１の支持部がストッパに当接した状態を示す図である。
【図１０】脚部材の効果を示すシミュレーション内容を示す図であり、装置全体による加重分布の状況を示す図である。
【図１１】（ａ）は、装置の後方左側に取付けられた脚部材の状態変化を示す図であり、（ｂ）は、装置の後方右側に取付けられた脚部材の状態変化を示す図である。
【発明を実施するための形態】
【００１０】
以下、添付図面を用いて本出願の実施の形態を、具体的な実施例に基づいて詳細に説明する。以下の実施の形態において同一又は類似の要素には共通の参照符号を付けて示し、理解を容易にするために、これらの図面は縮尺を適宜変更している。
【００１１】
図１は、本出願に係る実施形態の脚部材２０Ｌ、２０Ｒ（以下、脚部材２０Ｌ、２０Ｒをまとめて脚部材２０と称する場合がある）が設けられた装置１であって、例えばノートパソコン等の装置本体１０の底面１１を示す斜視図である。図２は、本出願に係る実施形態の脚部材２０を示す斜視図である。図３（ａ）〜図３（ｃ）は、図１に示した装置１の装置本体１０に設けられた脚部材２０を示す図である。図３（ａ）は、脚部材２０を装置１の底面側から見た平面図である。図３（ｂ）は、図３（ａ）のＢ−Ｂ線に沿った断面図であり、装置１が載置される机等の設置面３との位置関係を示す。図３（ｃ）は、図３（ａ）の矢印Ｃ方向からみた正面図である。
【００１２】
脚部材２０は基部２１を有し、基部２１は装置１において装置本体１０の底面１１に取り付けられる取付面２５を有する。また、脚部材２０は、基部２１の取付面２５の反対側に突設された第１の支持部２２と第２の支持部２３とを備える。第１の支持部２２と第２の支持部２３は独立して変形できる。第１の支持部２２は、所定の角度αで取付面２５に対し斜めの方向に突設されていて、取付面２５から先端までの第１の高さＨ１を有するよう形成される。本実施形態の脚部材２０は、ニトリルブタジエンゴムの合成ゴム材で作製されている。そのため、第１の支持部２２は所定の第１の可撓性を有する。そのため、第１の支持部２２は、図３（ｂ）に示すように、設置面３に接地して装置１の荷重を受けたとき、所定の方向（図３（ｂ）のＦ方向）に撓むようになっている。
【００１３】
第２の支持部２３は、取付面２５から先端までの第２の高さＨ２を有し、その断面の形状が山型となるよう、基部２１に突設されている（図２、図３（ｂ）参照）。第２の支持部２３は、その先端部分が、所定の角度βで取付面２５に対して斜めの方向に延びるよう形成されていて、設置面３に接地して装置１の荷重を受けたとき、図３（ｂ）のＧ方向に撓むようになっている。第２の高さＨ２は、第１の高さＨ１より低くなるよう形成されている。また、第２の支持部２３は山型に形成されていることから、第２の支持部２３の根元部分において第１の支持部２２より厚く形成される。そのため、第２の支持部２３は、第１の支持部２２より低い第２の可撓性を有する。具体的は、第２の支持部２３は第１の支持部より撓み難くなっていて、第２の支持部２３は第１の支持部２２より大きい荷重を受けることができる。
【００１４】
なお、装置本体１０の底面１１には、脚部材２０の取付面２５に対応した窪みを有していて、脚部材２０の基部２１をその窪みに挿入することで取付けることができる。脚部材２０は、粘着テープ、接着材等を取付面２５に設けることで、底面１１に固定されてもよい。また、本実施形態の脚部材２０は、ニトリルブタジエンゴムの合成ゴム材で作製されているが、脚部材２０は、第１の支持部２２及び第２の支持部２３が可撓性を有することができれば他の合成ゴム材、例えばウレタンゴムで作製されてもよい。
【００１５】
図３（ｂ）に示すように、本実施形態の脚部材２０は、第１の支持部２２の第１の高さＨ１が、第２の支持部２３の第２の高さＨ２より高く形成されている。そのため、装置１が設置面３に載置されるとき、まず脚部材２０の第１の支持部２２が設置面３に接地し、第１の支持部２２が、装置１の荷重を先に受ける。そして、第１の支持部２２が撓むことで、第１の支持部２２の高さが減少し、第２の支持部２３が設置面３に接触する。
【００１６】
図４（ａ）〜（ｂ）を用いて、本実施形態の脚部材２０に荷重が掛かったときの脚部材２０の状態変化を説明する。
【００１７】
図４（ａ）は、脚部材２０が設置面３に接地する前であって、脚部材２０に荷重が掛かる前の状態を示している。この状態では脚部材２０の第１の支持部２２及び第２の支持部２３は撓んでいない。図４（ｂ）では、装置１が設置面３に載置され、装置１の荷重が掛かるようになる。この状態で、第１の支持部２２が設置面３に接触し撓み始める。装置１から加わる荷重が小さい場合は、第１の支持部２２だけで支持できる場合がある。しかしながら、さらに荷重が加えられた場合、図４（ｃ）に示すように第１の支持部２２がさらに撓み、第１の高さＨ１が低くなることで第２の支持部２３の先端が設置面３に接地するようになる。また、さらに荷重が加わると、図４（ｄ）に示すように、第１の支持部２２及び第２の支持部２３の両方が撓み始める。このように、脚部材２０は単一の部材であるが、可撓性の異なる複数の支持部が、それぞれ異なるタイミングで装置１からの荷重を受けることで、多段階で重さを受けることができる。そのため、脚部材２０は、受けることができる重さの範囲を増やすことが可能となる。
【００１８】
図５（ａ）〜図５（ｄ）を用いて、図１に示す装置１を設置面３に載置した場合の、取付けられた２個の脚部材２０の状態変化について説明する。以下、装置１の後方左側に位置する脚部材２０を脚部材２０Ｌ、後方右側に位置する脚部材を２０Ｒと称する。通常、ノートパソコン等の装置は、その筐体に内蔵された部品の重さとそれらが配置される位置が様々である。そのため、装置１を机等の設置面３に載置したとき、脚部材２０Ｌ、２０Ｒのそれぞれに掛かる荷重が異なる。また、設置面３が反ったり傾いていたりするなどの使用環境が悪い場合もあり、載置したとき、脚部材２０Ｒ、２０Ｌが同時に設置面３に接地しない場合がある。図５（ａ）は、装置１が設置面３に載置される際の、脚部材２０Ｌの直前の状態を示す、図１のＶＬ−ＶＬ線に沿った断面図である。図５（ｂ）は、装置１が設置面３に載置された状態を示し、脚部材２０Ｌが装置１を支持する状態を示すＶＬ−ＶＬ線に沿った断面図である。図５（ｃ）は、装置１が設置面３に載置される際の、脚部材２０Ｒの直前の状態を示す、図１のＶＲ−ＶＲ線に沿った断面図である。図５（ｄ）は、装置１が設置面３に載置された状態を示し、脚部材２０Ｒが装置１を支持する状態を示すＶＲ−ＶＲ線に沿った断面図である。
【００１９】
図５（ａ）〜図５（ｄ）では、脚部材２０Ｌの方に脚部材２０Ｒよりも大きい荷重が掛かる場合を示している。図５（ａ）では、脚部材２０Ｌが設置面３に接地した際の状態を示す。このとき、図５（ｃ）に示すように、脚部材２０Ｒは設置面３に接地せず浮いた状態となっている。その後、図５（ｂ）に示すように、さらに荷重が加わり、脚部材２０Ｌの第１の支持部２２Ｌが撓み、第２の支持部２３Ｌが設置面３に接地し、脚部材２０Ｌが装置１を支持するようになる。一方、脚部材２０Ｒは、図５（ｄ）に示すように第１の支持部２２Ｒが設置面３に接地した状態である。すなわち、脚部材２０Ｒの第２の支持部２３Ｒは接地していないが、第１の支持部２２Ｒのみで、脚部材２０Ｒに掛かる荷重を受けている。よって、図５（ｂ）及び図５（ｃ）に示す状態では、左右の脚部材２０Ｌ、２０Ｒが接地しており、装置１は浮くことがなく、ガタツキが防止される。
【００２０】
このように、脚部材２０は、可撓性と高さが異なる第１の支持部２２と第２の支持部２３を備えることにより、異なるタイミングで接地し、多段階で荷重を受けることができる。多段階で荷重を受けることにより、脚部材２０に掛かる荷重が小さい場合でも、脚部材２０の第１の支持部２２が設置面３に接地しているため、装置設置時の設置面３に対する浮きを防止することができる。
【００２１】
ここで、図６（ａ）〜図６（ｇ）を用いて、脚部材２０の他の例について説明する。
【００２２】
図６（ａ）に示す脚部材２０ａは、その第２の支持部２３ａが第１の支持部２２ａと同じ方向に平行に延びるよう形成されている。そして、第２の支持部２３ａの幅を、第１の支持部２２ａの幅より太く形成し、第２の支持部２３ａをより撓み難くしている。すなわち、第２の支持部２３ａの第２の可撓性を、第１の支持部２２ａの第１の可撓性よりも小さくすることで、第２の支持部２３ａを撓み難くしている。第２の支持部２３ａは、図３に示す脚部材２０の第２の支持部２３のように断面が山型となっておらず根元部分が広がっていない。根元部分が広がっていないため、図２及び図３に示す脚部材２０と比べて、取付面２５の面積を少なくすることができ、装置への取付部分が狭い場合に有効に活用することができる。
【００２３】
図６（ｂ）に示す脚部材２０ｂは、第１の支持部２２ｂの方が第２の支持部２３ｂよりも幅が太く形成されより撓み難くなっている。そのため、第１の支持部２２ｂの第１の可撓性は、第２の支持部の第２の可撓性よりも低くなっており、撓み難くより大きな重さを受けることができる。このような構造により、先ず大きな重さを第１の支持部２２ｂで受けて、幅が細く形成された可撓性の高い第２の支持部２３ｂで微調整をすることができる。大きな重さを第１の支持部２２ｂで受けることから、重量の大きい装置を支持するのに適している。
【００２４】
図６（ｃ）に示す脚部材２０ｃでは、第２の支持部２３ｃが、第１の支持部２２ｃが延びる傾斜方向に対して、異なる方向に傾斜していて、第１の支持部２２ｃと第２の支持部２３ｃとの間隔が、基部２１ｃから離れるに従って広がるよう突設される。言い換えれば、第１の支持部２２ｃが取付面２５に対して９０度以下の第１の角度αで傾いているのに対し、第２の支持部２３ｃは、取付面２５に対して９０度より大きい第２の角度βで傾いている。このように第１の支持部２２ｃ及び第２の支持部２３ｃを基部２１ｃから突設させることで、それぞれが互いに反対の方向に撓むようになる。脚部材２０ｃが設置面３に接地する範囲が、図３の脚部材２０よりも広がるため、横ズレに強く安定性が向上する。そのため、据え置き型の装置を支持するのに適している。
【００２５】
図６（ｄ）に示す脚部材２０ｄは、さらに第３の支持部２４ｄを備える。支持部を増やすことにより、より多段階で荷重を受けることができ、受けることができる重さの範囲をさらに増やすことができる。
【００２６】
図６（ｅ）に示す脚部材２０ｅは、脚部材２０ｅを分割して第１の支持部２２ｅと、第２の支持部２３ｅとを別々に形成する場合を示している。例えば第１の支持部２２ｅを撓みやすいよう可撓性を高く、柔らかく形成し、第２の支持部２３ｅを撓み難いよう可撓性を低く形成してもよい。
【００２７】
図６（ｆ）に示す脚部材２０ｆは、傾斜していない第１の支持部２２ｆ及び第２の支持部２３ｆを備える。脚部材２０ｆのように、第１の支持部２２ｆ及び第２の支持部２３ｆが弾性変形によりその高さＨ１、Ｈ２を縮ませることにより、多段階で重さを受けても構わない。
【００２８】
図６（ｇ）に示す脚部材２０ｇは、硬度の異なるゴム材料、すなわち弾性率が異なるゴム材料を用いて第１の支持部２２ｇと第２の支持部２３ｇを一体成形により作製したものである。第１の支持部２２ｇを柔らかいゴム材料（弾性率が比較的小さい材料）で形成し、第２の支持部２３ｇを硬いゴム材料（弾性率が比較的大きい材料）で形成する。このように、脚部材２０ｇは、弾性率が異なる材質を用いて形成することで、多段階で重さを受けることを実現してもよい。
【００２９】
図１に示す実施形態では、ノートパソコン等の持ち運び可能な装置に、本実施形態の脚部材２０Ｌ、２０Ｒを取り付けていた。本実施形態の脚部材２０は、図７に示すように、据え置き型の装置１ａ、例えばデスクトップパソコンを支持するよう、その底面の四隅に取付けられてもよい。図７に示す例では、それぞれの脚部材２０の第１の支持部２２、第２の支持部２３が同じ方向に撓むように取付けられているが、異なる方向に撓むよう脚部材２０を取付けてもよい。例えば、デスクトップパソコンの底面前方に配置された２つの脚部材２０は、その第１の支持部２２及び第２の支持部２３が、デスクトップパソコンの前方に向かって撓むよう取付けられてもよい。
【００３０】
図８に示す脚部材２０ｈのように、第１の支持部２２ｈが、設置面３に接地して装置１の荷重を受けて撓んだとき、撓んだ第１の支持部２２ｈに当接して第１の支持部２２ｈがそれ以上撓むのを止めるよう、装置本体１０の底面１１にストッパ２８を設けてもよい。図９は、ストッパ２８を設けた場合の脚部材２０ｈの状態変化を示す図であり、図９（ａ）は、脚部材２０ｈに荷重が掛かる前の状態を示す図、図９（ｂ）は装置本体１０から荷重が掛かった状態を示す図である。図９（ｂ）に示すように、第１の支持部２２が設置面３に接地して撓んだ後、第１の支持部２２はストッパに２８に当接してストッパ２８によって撓むことが止まるよう支持される。ストッパ２８を設けることで、装置本体１０から受ける荷重により第１の支持部２２ｈが倒れ過ぎるのを防止し、脚部材２０は安定して装置本体１０を支持することができるようになる。
【００３１】
図１０及び図１１に、図８に示す脚部材２０ｈをノートパソコン等の装置１に取り付けた場合の加重分布と脚部材２０ｈの状態変化についてシミュレーションした結果を示す。装置１には、２個の脚部材２０ｈが後方右側の角部と後方左側の角部に設けられる（以下、後方左側の脚部材を脚部材２０ｈＬ、後方右側の脚部材を脚部材２０ｈＲと称する）。また、装置１には、その前方右側と前方左側に通常のゴム足が設けられる。解析条件としては、装置１の重量を２ｋｇ、筐体の材料をＰＣ−ＡＢＳ（ポリカーボネート−ＡＢＳ樹脂）、脚部材２０ｈＬ、２０ｈＲの材料をＮＢＲ（ニトリルゴム）とした。また、装置１の後方右側の脚部材２０ｈＲを０．８ｍｍ浮かせて、装置１を設置面に載置したとき、ガタツキが発生する状態で解析した。図１０に装置全体による加重分布の状況を示す。装置１の後方左側に掛かる重量の方が、装置１の後方右側に掛かる重量の方より大きく設定している。そして、このような加重の場合、図１１（ａ）に示すように、後方左側の脚部材２０ｈＬの第１の支持部２２ｈ及び第２の支持部２３ｈが撓むことで、０．８ｍｍの浮きを吸収した。そして、図１１（ｂ）に示すように、装置１の後方右側の脚部材２０ｈＲの第１の支持部２２ｈが若干撓んだ状態で接地する結果となった。なお、脚部材２０ｈＲの第２の支持部２３ｈは接地していない。このシミュレーションより、通常のゴム足である装置前方の脚部材を含め、全ての脚部材から設置面に荷重が掛かかる結果となり、脚部材の全てが接地していてガタツキがなくなっていることが分かった。
【００３２】
以上、本出願を特にその好ましい実施の形態を参照して詳細に説明した。本出願の容易な理解のために、本出願の具体的な形態を以下に付記する。
【００３３】
（付記１）装置の底面に設けられる脚部材であって、
前記底面に取付けられる取付面を有する基部と、
前記基部の前記取付面の反対側に突設され、第１の高さ及び第１の可撓性を有する第１の支持部と、
前記基部の前記取付面の反対側に前記第１の支持部とは独立して突設され、前記第１の高さより低い第２の高さと第２の可撓性とを有する、第２の支持部と、
を備える脚部材。
（付記２）前記第１の支持部及び前記第２の支持部は、前記取付面に対し斜めの方向に突設される、付記１に記載の脚部材。
（付記３）前記第２の支持部の前記第２の可撓性は、前記第１の支持部の前記第１の可撓性より低い、付記１又は２に記載の脚部材。
（付記４）前記第２の支持部の前記第２の可撓性は、前記第１の支持部の前記第１の可撓性より高い、付記１又は２に記載の脚部材。
（付記５）前記第１の支持部及び前記第２の支持部は、同じ方向に延びるように突設される、付記１〜４のいずれかに記載の脚部材。
（付記６）前記第１の支持部及び前記第２の支持部は、前記第１の支持部と前記第２の支持部との間隔が、前記基部から離れるに従って広がるように突設される、付記２又は３に記載の脚部材。
（付記７）前記第１の支持部が前記設置面に接して前記装置の重さを受けて撓んだとき、撓んだ前記第１の支持部に当接するよう、前記装置の底面に設けられるストッパをさらに備える、付記２に記載の脚部材。
（付記８）装置であって、
装置本体と、
前記装置本体の底面に設けられ、前記装置の設置面から前記装置本体を支持する少なくとも一つの脚部材と、を備え、前記脚部材は、
前記底面に取付けられる取付面を有する基部と、
前記基部の前記取付面の反対側に突設され、第１の高さ及び第１の可撓性を有する第１の支持部と、
前記基部の前記取付面の反対側に前記第１の支持部とは独立して突設され、前記第１の高さより低い第２の高さと第２の可撓性とを有する第２の支持部と、を備える装置。
【符号の説明】
【００３４】
１    装置
１０    装置本体
１１    底面
２０    脚部材
２１    基部
２２    第１の支持部
２３    第２の支持部
２５    取付面
２８    ストッパ
３    設置面
【図１】
2017220487.tif 000003
【図２】
2017220487.tif 000004
【図３】
2017220487.tif 000005
【図４】
2017220487.tif 000006
【図５】
2017220487.tif 000007
【図６】
2017220487.tif 000008
【図７】
2017220487.tif 000009
【図８】
2017220487.tif 000010
【図９】
2017220487.tif 000011
【図１０】
2017220487.tif 000012
【図１１】
2017220487.tif 000013